【手続補正書】
【提出日】平成16年1月13日(2004.1.13)
【手続補正１】
【補正対象書類名】明細書
【補正対象項目名】発明の名称
【補正方法】変更
【補正の内容】
【発明の名称】ハードコピー装置において複数の機能を実行する方法


【手続補正２】
【補正対象書類名】明細書
【補正対象項目名】特許請求の範囲
【補正方法】変更
【補正の内容】
【特許請求の範囲】
【請求項１】
（ａ）第１の入力シート集積体を有する第１の入力フィーダを設けるステップと、
（ｂ）シートを印刷動作時に取り出す手段を設けるステップと、
（ｃ）印刷ステーションおよび出力領域を設けるステップであって、前記取り出し手段、前記印刷ステーションおよび前記出力領域が第１の処理通路を形成するステップと、
（ｄ）前記シートを印刷動作時に取り出すことによって前記第１の入力シート集積体からのシートを前記第１の処理通路に自動的に供給するステップと、
（ｅ）前記シートを前記第１の処理通路に沿って前記印刷ステーションを通り過ぎて移動させるステップであって、前記印刷ステーションで前記シート上にテキストあるいは図形を作成してプリントアウトを形成するステップと、
（ｆ）該プリントアウトを前記出力領域に搬送するステップと、
（ｇ）第２の入力文書集積体を有する第２の入力フィーダを設けるステップと、
（ｈ）文書を走査動作時に取り出す手段を設けるステップと、
（ｉ）前記走査動作を実行する走査ステーションを設けるステップと、
（ｊ）前記取り出し手段、前記走査ステーションおよび前記出力領域により第２の処理通路を形成するステップと、
（ｋ）前記第２の入力フィーダに文書を挿入するステップと、
（ｌ）前記文書を走査動作時に取り出すことによって前記第２の入力文書集積体からの文書を前記第２の処理通路に自動的に供給するステップと、
（ｍ）前記文書を前記第２の処理通路に沿って前記走査ステーションを通り過ぎて移動させるステップであって、前記走査ステーションで前記文書上のテキストあるいは図形を走査するステップと、
（ｎ）前記文書が前記走査ステーションを出て前記印刷ステーションを受動的に通過するとき、前記文書をその上面と下面で押さえるステップと、
（ｏ）前記走査された文書を前記出力領域に搬送するステップと、
（ｐ）前記第１の処理通路および前記第２の処理通路の少なくとも一部分は前記印刷動作および走査動作の両方において共用されるステップと、
を含む、ハードコピー装置において複数の機能を実行する方法。
【請求項２】
前記（ｋ）挿入ステップは、前記第２の入力文書集積体が前記第１の入力シート集積体に少なくとも部分的にかぶさるようになされ、前記（ｂ）シート取り出しステップおよび前記（ｈ）文書取り出しステップは、前記第１の処理通路の印刷動作および前記第２の処理通路の走査動作の両方において共用される部分で実行される、請求項１に記載のハードコピー装置において複数の機能を実行する方法。
【請求項３】
前記（ｆ）搬送ステップおよび（ｏ）搬送ステップにおいて前記プリントアウトおよび前記走査された文書を受ける前記出力領域は、前記第１の処理通路の印刷動作および前記第２の処理通路の走査動作の両方において共用される前記部分に含まれる、請求項１に記載のハードコピー装置において複数の機能を実行する方法。
【請求項４】
前記（ｅ）移動ステップの印刷ステーションおよび前記（ｍ）移動ステップの走査ステーションは、前記第１の処理通路の印刷動作および前記第２の処理通路の走査動作の両方において共用される前記部分に含まれる、請求項１に記載のハードコピー装置において複数の機能を実行する方法。
【請求項５】
前記第１の処理通路および前記第２の処理通路は、前記走査ステーションから伸張する共通通路を含み、前記（ｎ）文書を押さえるステップは文書の走査時にのみ動作可能である、請求項１に記載のハードコピー装置において複数の機能を実行する方法。
【請求項６】
印刷シート集積体を有する入力印刷フィーダを設けるステップと、
シートを取り出す取り出し装置を設けるステップと、
該取り出し装置へのシートの供給を容易にする係合可能なばね荷重された圧力板を設けるステップと、
前記印刷シート集積体を前記入力印刷フィーダ内に保持するステップと、
前記ばね荷重された圧力板を係合位置に保持することによって連続してシートを取り出す間前記印刷シート集積体を前記取り出し装置に対して一定の係合状態に維持するステップと、
文書集積体を有する入力走査フィーダを設けるステップと、
該入力走査フィーダ内に前記文書集積体を保持するステップと、
前記ばね荷重された圧力板を前記係合位置から非係合位置に移動させるステップと、
前記ばね荷重された圧力板を位置決めし直して前記文書集積体を前記取り出し装置に係合させるステップと、
前記ばね荷重された圧力板を前記文書集積体との係合位置に保持することによって文書集積体から連続して文書を取り出す間前記文書集積体を前記取り出し装置に対して一定の係合状態に維持するステップと、
各文書を走査ステーションおよび印刷ステーションに移動させるステップと、
走査動作後、前記印刷ステーション中で前記文書をその両面で受動的に押さえて、文書の巻き上がりによる文書出口における詰まりの発生を防止するステップと、
を含む、ハードコピー装置において複数の機能を実行する方法。
【請求項７】
前記印刷シートおよび前記文書のそれぞれのページの連続した取り出しを所定の時間間隔後に開始させて、前記印刷ステーション内および前記走査ステーション内を印刷シートおよび文書が間隔をおいて通過するようにするステップをさらに含む、請求項６に記載のハードコピー装置において複数の機能を実行する方法。
【請求項８】
印刷シート集積体を有する第１の入力フィーダを設けるステップと、
シートページを取り出す手段を設けるステップと、
印刷ステーションおよび出力部を設けるステップであって、前記取り出し手段、前記印刷ステーションおよび前記出力部が第１の通路を形成するステップと、
前記印刷シート集積体を前記第１の入力フィーダ内に保持するステップと、
前記印刷シート集積体からシートページを取り出すステップと、
該シートページを前記第１の通路に沿って前記印刷ステーションを経て前記出力部まで移動させるステップと、
文書集積体を有する第２の入力フィーダを設けるステップと、
文書ページを取り出す手段を設けるステップと、
走査ステーションを設けるステップであって、前記取り出し手段、前記走査ステーションおよび前記出力部により第２の通路を形成するステップと、
前記文書ページ集積体を前記第２の入力フィーダ内に保持するステップと、
前記文書集積体から文書ページを取り出すステップと、
該文書ページを前記第２の通路に沿って前記走査ステーションを経て前記出力部まで移動させ、前記印刷ステーションを経て前記出力部に入る間前記文書の上下を受動的に押さえるステップと、
前記第１の通路および第２の通路の少なくとも一部分は共用されるステップと、
を含む、ハードコピー装置において複数の機能を実行する方法。
【請求項９】
前記文書を押さえるステップは前記文書ページ上での前記走査動作中にのみ動作可能である、請求項８に記載のハードコピー装置において複数の機能を実行する方法。
【請求項１０】
走査動作モードにおいて前記走査ステーションのほぼ出口から前記出力部まで伸張する位置に転動可能な文書ガイドであって、前記走査される文書ページの押さえを実行する文書ガイドを設けるステップと、印刷動作モードを実行するために前記文書ガイドを前記印刷ステーションから離れるように転動させるステップとをさらに含む、請求項８に記載のハードコピー装置において複数の機能を実行する方法。